(57)【要約】【課題】  恒久的な建築物に当たる家屋の壁面等を対象として、これら建築物の直立した壁面を緑化するに際し、ごく簡便な機構を用いて灌水用の水を均等に分配し、それに基づき直立面内に均等な灌水を行うことを可能とし、緑化植物の着実な育成と繁殖に帰結させ得るようにした壁面緑化システムを提供することを課題とする。【解決手段】  水平レベルを維持した複数の保水樋に、上下方向に延びる複数の給水管、及び長さを保水樋の長さより短くかつ給水限界距離以内に規制した給水分配手段から給水を分配し、同保水樋から毛細管現象を利用した灌水手段によりプランタに灌水することにより、コンパクト化された構成の下で均一に分散した灌水を可能とする緑化システムを得た。【選択図】            図１
2006296230.tif 000002
【特許請求の範囲】
【請求項１】
家屋等建築物の直立した壁に対して上下方向で並列に取付けられ水平レベルを維持して横方向に延びる複数の保水樋、前記壁に横方向で互いに所定間隔離して取付けられ上下方向に延びる複数の給水管、上記保水樋のそれぞれに対応して設けられ上記給水管から分岐して同保水樋のそれぞれに給水を分配する複数の給水分配手段、上記給水管の上流に設けられ同給水管に給水を供給する給水供給手段、上記保水樋のそれぞれに対応し上記壁の表面に対して着脱可能に設けられた緑化植物の植生に供する複数のプランタ、及び各プランタと保水樋を連通し毛細管現象により保水樋からプランタに灌水する灌水手段を有し、上記給水分配手段は、それぞれが対応する保水樋の横方向の長さより短く、かつ上記給水管を介して互いに連通するものの長さの総和が同給水分配手段を延長した場合の給水限界距離以内となる短管状部材で構成したことを特徴とする壁面緑化システム。
【請求項２】
上記給水管は、上記壁の上部で水平に延びて配置した上部ヘッダ管と、同上部ヘッダ管に連通する上昇給水管と、同上部ヘッダ管から下方に延びて下端を閉塞し上記壁の横方向で互いに所定間隔離して配置された複数の下降給水管で構成され、同下降給水管に設けた給水分配手段を介して上記保水樋に連通したことを特徴とする請求項１に記載の壁面緑化システム。
【請求項３】
上記給水管は、上記壁の下部で水平に延びて配置した下部ヘッダ管と、同下部ヘッダ管から上方に延びて上端を閉塞し上記壁の横方向で互いに所定間隔離して配置された複数の上昇供給管で構成され、同上昇供給管に設けた給水分配手段を介して上記保水樋に連通したことを特徴とする請求項１に記載の壁面緑化システム。
【請求項４】
上記保水樋は、表面側を上記壁の表面と同一面にして同壁に取付けられ、各保水樋に対応して上記プランタを同壁の外面又は内面に配設したことを特徴とする請求項１乃至３の何れかに記載の壁面緑化システム。
【請求項５】
上記プランタは、ポケット型プランタ、又は長尺型プランタ等種々の形態を選択し得ることを特徴とする請求項１乃至４の何れかに記載の壁面緑化システム。
【請求項６】
上記直立した壁は、その下端部に横方向に延びる集水樋を配設し、上記壁、プランタ、又は保水樋等の余剰水を集水可能にしたことを特徴とする請求項１乃至５の何れかに記載の壁面緑化システム。
【発明の詳細な説明】
【技術分野】
【０００１】
本発明は、恒久的な建築物に当たる家屋の壁面、又は石材、コンクリートブロック、金属材料等で構築された塀の壁面を対象として、これら建築物の直立した壁面を緑化する壁面緑化システムに関するものである。
【背景技術】
【０００２】
既に周知の事項となっているように、昨今の市民生活は科学技術の目ざましい発達に支えられて著しく向上し、生活環境のみならず産業環境も豊かになってきているが、反面その代償と言わんばかりに、温暖化現象やヒートアイランド現象等を含めて公害問題や環境汚染問題も顕著となり、これらの諸問題は地域的に見ても首都圏、特定の工業地帯というように特定の地域、地区に止まらず広域に亘り、今や全地球規模の弊害として市民生活を脅かすようになって来た。
【０００３】
従って上記した様な科学技術の発達に支持された豊かな市民生活は、環境調和問題と共存することが強く求められるようになって来ており、単に行政からの指導のみならず、市民コミュニティでの問題としても取り上げられるなど強く認識されるようになり、特に温暖化現象やヒートアイランド現象に係る市民生活に直結する住環境問題に関しては身近かな環境調和問題として捉え、都市部、地方部を問わず住環境の緑化計画が導入されるようになって来ている。
【０００４】
この種緑化計画の一環として、家屋の屋上をはじめとして同家屋の壁面、そして家屋に付随する塀の表面等々の緑化技術は、始原的にはヨーロッパ、特にドイツに端を発し、全世界的に広まりつつあり、わが国においては近時行政指導を含めて緑化基準が強化されたこともあって、当該緑化技術が加速的に普及する趨勢にある。
【０００５】
このような緑化技術のわが国における発展の過程を振り返ってみると、この種の緑化技術は椰子繊維質等の薄層のマットに適宜の緑化植物を植生してこれを屋上に敷設するもの等に端を発している。
【０００６】
しかし前記のように薄層のマットに植生を施していわゆる植生マットを形成し、これを単に敷設するという構成では、風の影響による植生マットの捲れや飛散をはじめとして、同植生マットの移動によりこのマット中に在る床土等の土壌が流出するとか、また、薄層であるために水分の蒸発が激しく、植生が枯れてしまうとか、同植生自体の成長が進んで緑化植物が過剰に繁殖し、薄層での支持がダメージを受ける等々の問題が顕在化し、このような不具合の発生を防止して緑化植物の安定的な成長を促すことの出来る、より適切な植生マットの開発に試行錯誤が重ねられている。
【０００７】
しかも上記植生マットの敷設面は、平坦な屋上を始点とし、傾斜面となる屋根表面、更に立設された壁、塀等の表面という様に、水平面に対する角度ゼロから９０度の範囲に亘り、重力の影響を受ける傾斜面への採用を可能にして対象区域を広げると共に、この植生マット表面にプランタ等を組み入れて緑化植物の植生を行う形態まで応用範囲を拡張し、更に緑化対象建築物の範囲及び緑化植物の種類を含めて多様化する傾向にある。
【特許文献１】特開平６−２５３６８４号公報（図１：壁面１５に対する植生パレット２の設置、及び灌水パイプ１１による水槽５から土壌３への灌水。）
【特許文献２】特開平８−２２８６１６号公報（図７、図８、図１１のプランター２２の配列、及び不織布２５を含むハンガー兼給水パイプ２４による灌水タンク１０からプランター２２への灌水。）
【発明の開示】
【発明が解決しようとする課題】
【０００８】
上記のように住環境の緑化計画の一環としての家屋の屋上、壁面等の緑化技術は、試行錯誤を重ねつつ着実に進歩し成長しており、植生される緑化植物も乾燥に耐え得る品種の改良もなされているものの、同緑化植物が植生位置に確実に根付き、かつ着実に繁殖するためには適切な灌水は不可欠なテーマである。
【０００９】
しかも、水の流れが止まる家屋の屋上のような平面、または水の流れが緩やかとなる傾斜屋根のような比較的なだらかな傾斜面はともかく、水の流れが重力の影響を全面的に受けることになる家屋の壁、又は家屋に併設される塀等の様な直立した壁面では、その垂直面内に均等に灌水を行うことは高度の技術と熟練を要することとなる。
【００１０】
ましてこの種の緑化システムでは、居住区間としての密度が高ければ高い程省スペース化の要求等から小型化された簡便な構成が好ましく、かつ、望まれることとなり、これらの配慮が十分になされた上直立壁面に対して水を均一に分散し、均一の灌水に至る工夫については、その発想を含めて上記特許文献１、２を始めその他の文献にも見当たらない。
【００１１】
本発明はこのような状況に鑑みてなされたもので、家屋等の建築物の直立する壁面に対して、ごく簡便な機構を用いて灌水用の水を均等に分配することを基本とし、同均等な分配に基づき上記直立面内に均等な灌水を行うことを可能とし、緑化植物の着実な育成と繁殖に帰結させ得るようにした壁面緑化システムを提供することを課題とするものである。
【課題を解決するための手段】
【００１２】
本発明は上記した課題を解決すべくなされたもので、請求項１〜６に記載の各発明に対応させて以下に第１〜第６の手段に区分して説明すると、
本発明はその第１の手段として、
家屋等建築物の直立した壁に対して上下方向で並列に取付けられ水平レベルを維持して横方向に延びる複数の保水樋、前記壁に横方向で互いに所定間隔離して取付けられ上下方向に延びる複数の給水管、上記保水樋のそれぞれに対応して設けられ上記給水管から分岐して同保水樋のそれぞれに給水を分配する複数の給水分配手段、上記給水管の上流に設けられ同給水管に給水を供給する給水供給手段、上記保水樋のそれぞれに対応し上記壁の表面に対して着脱可能に設けられた緑化植物の植生に供する複数のプランタ、及び各プランタと保水樋を連通し毛細管現象により保水樋からプランタに灌水する灌水手段を有し、上記給水分配手段は、それぞれが対応する保水樋の横方向の長さより短く、かつ上記給水管を介して互いに連通するものの長さの総和が同給水分配手段を延長した場合の給水限界距離以内となる短管状部材で構成したことを特徴とする壁面緑化システム、を提供するものである。
【００１３】
また、本発明は第２の手段として、
上記第１の手段において、上記壁の上部で水平に延びて配置した上部ヘッダ管と、同上部ヘッダ管に連通する上昇給水管と、同上部ヘッダ管から下方に延びて下端を閉塞し上記壁の横方向で互いに所定間隔離して配置された複数の下降給水管で構成され、同下降給水管に設けた給水分配手段を介して上記保水樋に連通したことを特徴とする壁面緑化システム、を提供するものである。
【００１４】
また本発明は第３の手段として、
上記第１の手段において、上記給水管は、上記壁の下部で水平に延びて配置した下部ヘッダ管と、同下部ヘッダ管から上方に延びて上端を閉塞し上記壁の横方向で互いに所定間隔離して配置された複数の上昇供給管で構成され、同上昇供給管に設けた給水分配手段を介して上記保水樋に連通したことを特徴とする壁面緑化システム、を提供するものである。
【００１５】
また本発明は第４の手段として、
上記第１乃至第３の手段の何れかにおいて、上記保水樋は、表面側を上記壁の表面と同一面にして同壁に取付けられ、各保水樋に対応して上記プランタを同壁の外面又は内面に配設したことを特徴とする壁面緑化システム、を提供するものである。
【００１６】
また本発明は第５の手段として、
上記第１乃至第４の手段の何れかにおいて、上記プランタは、ポケット型プランタ、又は長尺型プランタ等種々の形態を選択し得ることを特徴とする壁面緑化システム、を提供するものである。
【００１７】
そしてまた本発明は第６の手段として、
上記第１乃至第５の手段の何れかにおいて、上記直立した壁は、その下端部に横方向に延びる集水樋を配設し、上記壁、プランタ、又は保水樋等の余剰水を集水可能にしたことを特徴とする壁面緑化システム、を提供するものである。
【発明の効果】
【００１８】
すなわち、本出願の請求項１に記載の発明によれば、家屋等建築物の直立した壁に対して上下方向で並列に取付けられ水平レベルを維持して横方向に延びる複数の保水樋、前記壁に横方向で互いに所定間隔離して取付けられ上下方向に延びる複数の給水管、上記保水樋のそれぞれに対応して設けられ上記給水管から分岐して同保水樋のそれぞれに給水を分配する複数の給水分配手段、上記給水管の上流に設けられ同給水管に給水を供給する給水供給手段、上記保水樋のそれぞれに対応し上記壁の表面に対して着脱可能に設けられた緑化植物の植生に供する複数のプランタ、及び各プランタと保水樋を連通し毛細管現象により保水樋からプランタに灌水する灌水手段を有し、上記給水分配手段は、それぞれが対応する保水樋の横方向の長さより短く、かつ上記給水管を介して互いに連通するものの長さの総和が同給水分配手段を延長した場合の給水限界距離以内となる短管状部材で構成して壁面緑化システムを構成しているので、プランタに灌水される水は、上流の給水供給手段を発して給水管に至り、同給水管に設けたドリップチューブ又はリーキパイプ等の様な短管状部材で形成した給水分配手段により分配されて一旦保水樋に貯えられ、次いで同保水樋から毛細管現象を利用した灌水手段によりプランタに対して灌水されることとなる。
【００１９】
ここで注目すべき点の一つは、上記保水樋が水平レベルを維持していることであり、このため同保水樋に供給された給水は壁の横方向（幅方向）に亘って安定して保持され、灌水手段の毛細管現象によりプランタに向けて規制された分量の灌水がなされることであるが、更に、特に注目しなければならない事項は、上記灌水手段で灌水が行われる前提として上記保水樋に供給される給水が簡便な構成の給水分配手段を経て給水管から保水樋に的確に分散、分配される点である。
【００２０】
すなわち、この給水分配手段は、それぞれが対応する保水樋の横方向の長さより短く、しかも上記給水管を介して互いに連通するものの長さの総和が同給水分配手段を延長した場合の給水限界距離以内となる短管状部材で構成されているので、給水管から枝管状に分岐する個々の給水分配手段自体の長さは基本的に短尺なものであり、かつ、同給水分配手段の総延長距離についても、供給管単位で区画される単位ループに組み入れられる複数の給水分配手段の合計長さが規制されることとなる給水限界距離と比べて小さいものであり、このようなコンパクトな構成で上記供給管から保水樋に至る給水を的確に分散、分配し、この適切な分散、分配の結果が上記灌水手段へ反映されて狙いとする好適な灌水が完遂され得ることとなる。
【００２１】
また、本出願の請求項２に記載の発明によれば、前記請求項１に記載の発明において、上記給水管は、上記壁の上部で水平に延びて配置した上部ヘッダ管と、同上部ヘッダ管に連通する上昇給水管と、同上部ヘッダ管から下方に延びて下端を閉塞し上記壁の横方向で互いに所定間隔離して配置された複数の下降給水管で構成され、同下降給水管に設けた給水分配手段を介して上記保水樋に連通して壁面緑化システムを構成しているので、前記請求項１に記載の発明のようにプランタに灌水すべく上流の給水供給手段から送り出されて保水樋に貯えられる給水は、上昇給水管を経て上部ヘッダ管に至り、同上部ヘッダ管から複数の下降給水管に分かれて下降して各下降給水管に設けた給水分配手段を介して上記保水樋に給水されることとなる。
【００２２】
すなわち、上記壁の上部で水平に延びて配置した上部ヘッダ管を経て壁面に分布して配置された複数の下降給水管に供給されることにより、簡便な構成にも係わらず壁面内における給水の分散、分配はより一層均一化が図られ、保水樋、灌水手段に至る過程が整備され、上記灌水手段の好適な機能へと反映され、狙いとする好適な灌水が完遂され得ることとなる。
【００２３】
また、本出願の請求項３に記載の発明によれば、前記請求項１に記載の発明において、上記給水管は、上記壁の下部で水平に延びて配置した下部ヘッダ管と、同下部ヘッダ管から上方に延びて上端を閉塞し上記壁の横方向で互いに所定間隔離して配置された複数の上昇供給管で構成され、同上昇供給管に設けた給水分配手段を介して上記保水樋に連通して壁面緑化システムを構成しているので、前記請求項１に記載の発明のようにプランタに灌水すべく上流の給水供給手段から送り出されて保水樋に貯えられる給水は、上記壁の下部で水平に延びて配置した下部ヘッダ管を経て壁の横方向に分布され、複数の上昇供給管それぞれに設けた給水分配手段を介して上記保水樋に給水されることとなる。
【００２４】
すなわち、上記壁の横方向における給水の分散、分配については、水平に延びる下部ヘッダ管と、同下部ヘッダ管から上昇する複数の上昇供給管との関連構成により均一化を図り、この給水の分散、分配に要する圧力を上流に設けた給水供給手段に依存するという極めて簡便でシンプルな構成となり、同給水供給手段として例えば一般の水道管への連結も可能とし、全体として簡便な構成で灌水手段の好適な機能へ結び付け、最終的な狙いとする好適な灌水が完遂され得ることとなる。
【００２５】
また、本出願の請求項４に記載の発明によれば、前記請求項１乃至３の何れかに記載の発明において、上記保水樋は、表面側を上記壁の表面と同一面にして同壁に取付けられ、各保水樋に対応して上記プランタを同壁の外面又は内面に配設して壁面緑化システムを構成しているので、前記請求項１乃至３の発明に加え、上記壁面に対する保水樋の配置、配列及び同保水樋と機能的に密接不可分の関係となりがちなプランタの配置、配列を同壁面との関係で選択可能とすることにより、外観に変化を持たせることが出来るようにし、壁面緑化システムの設計の自由度を増し、かつ、応用、活用範囲を拡張することができる。
【００２６】
また、本出願の請求項５に記載の発明によれば、前記請求項１乃至４の何れかに記載の発明において、上記プランタは、ポケット型プランタ、又は長尺型プランタ等種々の形態を選択し得るようにして壁面緑化システムを構成しているので、前記請求項１乃至４の発明に加え、プランタの形態をポケット型プランタ、又は長尺型プランタという様に種々の形態を選択することにより、プランタに植生し育成する緑化植物の種類の選択範囲を拡張し、これにより壁面緑化システムの外観に変化を持たせ、同壁面緑化システムの応用、活用範囲を拡張することができる。
【００２７】
そしてまた、本出願の請求項６に記載の発明によれば、前記請求項１乃至５の何れかに記載の発明において、上記直立した壁は、その下端部に横方向に延びる集水樋を配設し、上記壁、プランタ、又は保水樋等の余剰水を集水可能にして壁面緑化システムを構成しているので、前記請求項１乃至５の発明に加え、灌水の結果として壁面又はプランタを経由して滴下する余剰水、又は保水樋の位置で生じる余剰水等を集水樋に集め、壁面の周辺に不要な水分の漏洩、滴下を防止して周辺環境の美化を維持することが出来る。
【発明を実施するための最良の形態】
【００２８】
本発明の実施の第１形態について図１乃至図４に基づいて説明する。
図１は本実施の形態に係る壁面緑化システムの全貌を概略的に示す部分破断正面図、図２（ａ）、（ｂ）、（ｃ）はそれぞれ図１のＡ部、Ｂ部、Ｃ部を拡大して示す要部拡大図、図３は図１のＤ−Ｄ断面詳細図、図４は図３に対応する部位の応用変形例を示す断面詳細図である。
【００２９】
本実施の形態において、１は家屋の直立した壁面を示し、木造、鉄筋を内蔵したＲＣ構造、鋼材を内蔵したＳＲＣ構造、又はＩ型鋼材を内蔵したＳ構造等種々の材料から選択された材料で作られた恒久的な壁面であり、ここではＲＣ構造とした新築家屋の壁面を想定している。
【００３０】
２は保水樋で、同保水樋２は上記壁面１の横方向（幅方向）に延び、水平レベルを維持して同壁面１に取付けられている。
この保水樋２はプラスチック、陶磁器、又は金属材等で箱型に構成されており、長手方向に延びる一方の側面を上記壁面１と実質的に同一面となるようにして壁の内部に組み込まれ、アンカーボルト、コンクリートビス等の適宜の固着具２ａにより壁面１に一体的に固定されている。
【００３１】
また、保水樋２は好ましくは幅方向に約９０ｃｍ、又は１８０ｃｍの長さを有し、上記したように水平レベルを維持して壁面１の横方向に延ばして配置されるが、同一の長さの複数の保水樋２が同壁面１の上下方向に段々状に並列に並べられている。
そして複数の保水樋２を上下方向に並列配置した領域を一つの単位壁面とすれば、この単位壁面が横方向に多数並べられて保水樋２を全面に亘って分布し配置した壁面１が構成されることになる。
【００３２】
３は給水用の上昇給水管で、同上昇給水管３は上記壁面１の側端に上下方向に延びて配置され、同壁面の上端位置で複数の単位壁面にまたがって横方向に延びる上部ヘッダ管４に連通している。
なお上記上昇給水管３は、壁面１の側端に１本配置した例を示したが、これに限定されるものでないことは言うまでもなく、同上昇給水管３を中央寄りの位置に設けること、また、１本だけでなく複数本設けることも可能である。
【００３３】
５は下降給水管で、同下降給水管５は上記保水樋２が横方向に延びて区画される位置、換言すれば上記単位壁面の区切り位置に応じて上部ヘッダ管４に連絡し、同上部ヘッダ管４から下方に延びて設けられ、かつ、その下端位置で閉塞されている。
【００３４】
本実施の形態においてはこの様に通常は１本の上昇給水管３と複数本の下降給水管５が上部ヘッダ管４を介して連通するが、本明細書中においては、これら上昇給水管３と上部ヘッダ管４、そして下降給水管５を併せて給水管と総称する場合がある。
【００３５】
６はドリップチューブで、同ドリップチューブ６は上記下降給水管５に一端を連結し、同下降給水管５が隣接する保水樋２のそれぞれに対してその上部空間内で長手方向に並行して張り出して設けられ、先端を閉塞しかつ同保水樋２中に液滴下部６ａを臨ませて配置されている。
【００３６】
なおドリップチューブ６の呼称は、液が不透過の本体チューブの一部に液が滲み出て透過する部分（本明細書ではこの部分を「液滴下部６ａ」と言う）を例えば長手方向に３０ｃｍ間隔毎に複数箇所設けることにより、この部分から滲み出た液が保水樋２中に滴下することからこの様に命名している。
【００３７】
従ってドリップチューブ６は、その長さが長くなると上記液の滴下のために流れ方向に向かって流れの圧力が徐々に低下することとなり、上記のように通常は３０ｃｍ間隔を目処に液滴下部６ａを設けているので、一般の水道管圧では大体７０ｍ程進行すると圧力がゼロとなって流れが停止することとなるので、本明細書においてはこの例のように背圧が無くなり、流れの停滞が生じることとなる距離を「給水限界距離」と言う。
【００３８】
そして本実施の形態においては、ドリップチューブ６の長さを約３０ｃｍとし、その長さ範囲に上記液滴下部６ａを２箇所設けて先端を閉塞したものを採用しているので、長手方向に約９０ｃｍ、又は１８０ｃｍの長さとした保水樋２に比べて、ドリップチューブ６の１本の長さは約１／３〜１／６と短く、しかも互いに連通する関係にある上昇給水管３と上部ヘッダ管４、そして複数の下降給水管５で形成する経路を単位ループと呼称するとき、この単位ループ中に含まれ上記下降給水管から分岐する複数のドリップチューブ６の長さの総和は上記給水限界距離の目処となる７０ｍ以下となるように設定されている。
【００３９】
また、ここではドリップチューブ６を例示したが、同ドリップチューブ６の代替品として市販されているものに、内蔵した液がチューブ状表面の全面に亘って滲みだす構造を有し、上記ドリップチューブ６に機能的に近似するリーキチューブがあるので、本明細書においてはこれらドリップチューブとリーキチューブ等を総称して「給水分配手段」と言う。
【００４０】
７は集水管で、同集水管７は上記単位壁面の区切り位置で上下に延びて配置され、上記下降給水管５と同様に同集水管７に隣接配置された対応する各保水樋２にそれぞれ連通している。
すなわち、上記したように下降給水管５は保水樋２の一端側に配置されドリップチューブ６を介して保水樋２に給水経路を連通するが、集水管７は保水樋２の他端側に上記下降給水管５と対応して配置され、各保水樋２の底面から少し上方に設けた余剰水流出口７ａを介して段々状の保水樋２のそれぞれと連通し、かつ、下端を壁面１の下端で横方向に延びて設置した集水樋８と連通している。
【００４１】
９はポケットプランタで、同ポケットプランタ９は折り返した先端部９ａを有し、同先端部９ａを上記保水樋２の一方の側面に形成した取付部２ｂを介して保水樋２の内部に挿入し、同保水樋２に係止されることにより、相対的に壁面１に対して取付けられることになる。
【００４２】
すなわち本実施の形態においてポケットプランタ９は保水樋２に係止したものを示しているが、同ポケットプランタ９の取付け相手は保水樋２に限定されるものではなく、適宜の取付け部材を用いて直接壁面１、又はその近傍に取付けても良く、要するに取付け手段の如何を問わず結果として相対的に壁面１に対して取付けられるものであれば良い。
【００４３】
なお、ポケットプランタ９は保水樋２の取付部２ｂの配置位置に横方向に多数並べて配置され、また、要すればボルトやフック等の適宜の固定手段により保水樋２、又は壁面１に対して直接的に固着、固定されてもよく、このように配置されたポケットプランタ９には適宜の緑化植物１０が植生されることになる。
【００４４】
しかしながらポケットプランタ９は、壁面１又は保水樋２に対する取付け形態が如何様であっても保水樋２から灌水されることが必要であり、このためにポケットプランタ９は繊維質素材を不織布状に集合させた部位を有し、この部位の断面内に毛細管現象が生じて水分を吸い上げ、その水分を分散させる構造とし、ポケットプランタ９自体が同ポケットプランタ９内に灌水を行う灌水手段を兼ねることが好ましいが、上記した特許文献２で示すような毛細管現象を生じる補助部材を併設すること、そして同補助部材を併設することによりプラスチックや陶磁器製のプランタを用いること、そしてまたポケットプランタ９に代えて長尺型の樋状プランタを用いることも出来る。
【００４５】
なお、ポケットプランタ９はここに必要な土壌等を収納し、緑化植物１０を植生し育成することになるが、この植生、育成の過程で緑化植物に必要となる水分を、同緑化植物が吸収できるようにポケットプランタ９、又はこれと同等の容器に供給することを、本明細書においては「灌水」と表現し、この灌水のために直接寄与する部材を「灌水手段」と称している。
【００４６】
１１はポンプで、同ポンプ１１は上記した上昇給水管３の上流側に配置され、併設されたバッテリ１２、コントローラ１３等により制御されて貯水槽１４に収容した水分を上記上昇給水管３に供給する給水供給手段を構成している。
【００４７】
なお、この貯水槽１４は適宜の導管で上水に連通し、フロートバルブ１５等の適宜の手段により貯水量を制御され、またオーバフローについては適宜の液面位置を下水に連通して全体の水位をコントロールする構成を有し、併せて上記集水樋８の下流側を同貯水槽１４に連通することにより上記集水樋８に集まる保水樋２等からの余剰水を収容することが出来る。
【００４８】
また、ここでは給水供給手段としてポンプ１１で加圧されるものを例示しているが、同ポンプ１１の採用に代えて上記上昇供給管３を水道管に直接接続し、水道圧を利用する手法を選ぶことも可能である。
【００４９】
上記のように構成された本実施の形態によれば、貯水槽１４に溜められた給水はポンプ１１を含む給水供給手段により加圧され、壁面１の一端側に配置された上昇給水管３で案内されて上部ヘッダ管４に至り、上記上部ヘッダ管４から下降する複数の下降給水管５にそれぞれ分散される。
【００５０】
次いで上記上部ヘッダ管４によるヘッド圧と、これに加えられる上記ポンプ１１を含む給水供給手段による圧力を受け、上記給水は各下降給水管５から分岐する給水分配手段となるドリップチューブ６に充填され、同ドリップチューブ６の液滴下部６ａから雫状に間歇的に滴下して水平に配置された保水樋２内に分配され、壁面１の全体に行き渡る。
【００５１】
この時ドリップチューブ６は保水樋２の長手方向の長さに比べ１／３〜１／６と短く、しかも、上記したように単位ループ内での複数のドリップチューブ６の長さの総和は同ドリップチューブ６の給水限界距離以下としたコンパクトな構成となっているので、壁面１全体に亘って配置された保水樋２への給水の分配は、素早く、しかも均一に行われることとなる。
【００５２】
そして上記したように保水樋２内にはポケットプランタ９の先端部９ａが折り返して配置され、かつポケットプランタ９は細孔構造の繊維質素材で形成されているので、この細孔構造により毛細管現象が生じ、保水樋２に溜められた水分はポケットプランタ９に向けて灌水されることになる。
【００５３】
すなわち、ポケットプランタ９の一部が灌水手段として機能し、ドリップチューブ６により保水樋２内に分配された給水がポケットプランタ９内に灌水として分散され、緑化植物１０の植生、育成に寄与することになる。
【００５４】
なお保水樋２内に分配されて溜められる水分は、灌水手段によりポケットプランタ９に灌水される水量より多くなり水位が上昇すると、所定位置に開口する余剰水流出口７ａから集水管７、及び壁面１の下部に配置した集水樋８を経由して貯水槽１４に帰還される。
【００５５】
またポケットプランタ９及び壁面１に余剰の水分が生じると、壁面１の下部に横方向に延びて集水樋８が設けられているので、これらの余剰水は集水樋８に集められ、貯水槽１４へと集められることになる。
【００５６】
かくして本実施の形態によれば、短尺のドリップチューブ６を採用した簡便な構成にもかかわらず、まず多数の保水樋２それぞれに給水が均一に行き渡り、同保水樋２が水平レベルを維持することにより上記均一分布された給水は壁面１の全面に亘って安定的に保持され、次いで同保水樋２からポケットプランタ９自体で形成する灌水手段により毛細管現象を巧みに利用してポケットプランタ９に対して的確に灌水がなされる。
【００５７】
繰り返し述べれば、先ず上部ヘッダ管４に供給された給水は、同上部ヘッダ管４の設置位置のヘッド圧とポンプ１１の加圧とにより、保水樋２にくらべて十分に短いドリップチューブ６の背圧を確保し、同ドリップチューブ６から保水樋２に確実、正確に給水を分配する。
【００５８】
このようにして保水樋２に給水が移行されると、同保水樋２が水平を維持していることと相俟って同保水樋２には給水が均一に分配され保持されるので、同保水樋２から灌水手段の毛細管現象でポケットプランタ９に移送される灌水も均一分散を維持して確実、安定して行われることとなる。
【００５９】
すなわち、本実施例によれば給水から灌水に至るまで壁面１の全面に亘って均一に行うものであり、しかもこれを簡便でコンパクトな構成によって実行することが出来る。
【００６０】
なお、保水樋２に過剰な給水がなされて余剰水が生じた場合、またはポケットプランタ９に供給された灌水が余剰となり、同ポケットプランタ９そして壁面１を経由して下方に移動した場合には、保水樋２の余剰水は余剰水流出口７ａから集水管７を経て集水樋８に至り、また、その他の余剰水は壁面１から集水樋８に至り、貯水槽１４に帰還することとなり、壁面１の下方部分及びその周辺領域を水浸しにすることもなく、余剰水の回収を行うことも出来る。
【００６１】
なお、図４は本実施の形態の部分的な変形例を示し、保水樋２を壁面１の表面と同一面から裏面を超えて内部まで幅を広げ、かつ、格子部材９ｚで区画して同保水樋２の上にポケットプランタ９を配置すると共に、同格子部材９ｚの下方にドリップチューブ６及び余剰水流出口７ａを設け、壁面１の内方から壁面１の表面に向けて緑化植物１０が伸び出して繁殖するようにしたものである。
【００６２】
この部分変形例では、上記したように保水樋２を壁面１の内方に広げてポケットプランタ９をその上に配置しているので、保水樋２からポケットプランタ９に対する灌水は、毛細管現象を利用すべく不織布で形成した灌水部材９ｘで行うこととなる。
【００６３】
従ってこのポケットプランタ９は、底面灌水型プランタと称呼することも出来、また、壁面１と同一平面を形成する一側面を着脱可能な蓋状面９ｙとし、上記格子部材９ｚ、保水樋２、ドリップチューブ６等に容易に接近可能としたものであり、図３で詳細に説明したものと実質的に同様のものであるので、図３と対比して同一部分に同一符号を付して示し、重複する説明は省略する。
【００６４】
次に本発明の実施の第２形態について図５、図６に基づいて説明する。
図５は本実施の形態に係る壁面緑化システムの全貌を概略的に示す部分破断正面図、図６（ａ）、（ｂ）、（ｃ）はそれぞれ図５のＡ部、Ｂ部、Ｃ部を拡大して示す要部拡大図である。
【００６５】
すなわち本実施の形態は前記実施の第１形態が、給水系統を上下方向に延びる上昇給水管３、同上昇給水管３に連通する上部ヘッダ管４、そして同上部ヘッダ管４に連通して下降方向に延びる下降給水管５を基本部分とし、これを給水管と総称して骨格を構成していたのに対して、これら上昇給水管３、上部ヘッダ管４、及び下降給水管５を除き、これに代えて上記下降給水管の位置に新たに複数の上昇供給管２５を設け、またこれら複数の上昇供給管２５を束ねる下部ヘッダ管２４を設け、同下部ヘッダ管２４と上昇供給管２５とにより給水管を構成し、かつ、上記新たな上昇供給管２５のそれぞれに、保水樋２に対応させてドリップチューブ６を設けたものである。
【００６６】
従って本実施の形態では、この点を除き他の構成、及びそれに伴う作用、効果は前記実施の第１形態と同一につき、同一部分については図面中に前記実施の第１形態と同一の符号を付して示し、前記実施の第１形態の説明を援用することにより重複する説明は省略する。
【００６７】
すなわち本実施の形態によれば、コントローラ１３で調整されポンプ１１を含む給水供給手段により加圧されて、給水ラインを経て下部ヘッダ管２４に供給された給水は、同下部ヘッダ管２４から上昇する複数の上昇供給管２５に分配され、各上昇供給管２５に行き渡る。
【００６８】
この過程で給水は各上昇供給管２５から分岐するドリップチューブ６にも行き渡ることになるが、このような経過を経て単位ループ内に給水が行き渡ったことにより、各ドリップチューブ６の液滴下部６ａから対応する保水樋２に給水の滴下が始まり、時間の経過と共に各保水樋２に必要な給水が分散、配布されることになる。
【００６９】
上記のようにして各保水樋２に分散、配布された給水は、灌水手段の毛細管現象により保水樋２からポケットプランタ９へ灌水され、緑化植物の育成に寄与することとなる。
【００７０】
なお、本実施の形態における上記給水供給手段は前記実施の第１形態と同様にポンプ１１等に代えて通常の水道管に直結することも可能であり、特に本実施の形態においては、給水管の構成が下部ヘッダ管２４と上昇供給管２５に限定されることから、上記実施の第１形態に比べより一層コンパクト化した構成の下で、ポケットプランタ９又はこれに代わる長尺プランタへ適切な灌水を行うことが出来るものでる。
【００７１】
以上、本発明を図示の実施の形態を中心に部分的な変形、応用を含めて説明したが、本発明はかかる実施の形態に限定されず、本発明の範囲内でその具体的構成に種々の変更を加えてもよいことは言うまでもない。
【図面の簡単な説明】
【００７２】
【図１】本発明の実施の第１形態に係る壁面緑化システムの全貌を概略的に示す部分破断正面図である。
【図２】図１の要部を拡大して示し、（ａ）はＡ部、（ｂ）はＢ部、（ｃ）はＣ部の要部拡大図である。
【図３】図１のＤ−Ｄ断面詳細図である。
【図４】図３に対応する部位の応用変形例を示す断面詳細図である。
【図５】本発明の実施の第２形態に係る壁面緑化システムの全貌を概略的に示す部分破断正面図である。
【図６】図５の要部を拡大して示し、（ａ）はＡ部、（ｂ）はＢ部、（ｃ）はＣ部の要部拡大図である。
【符号の説明】
【００７３】
１        壁面
２        保水樋
２ａ      固着具
２ｂ      取付部
３        上昇給水管
４        上部ヘッダ管
５        下降給水管
６        ドリップチューブ
６ａ      液滴下部
７        集水管
７ａ      余剰水流出口
８        集水樋
９        ポケットプランタ
９ａ      先端部
９ｘ      灌水部材
９ｙ      蓋状面
９ｚ      格子部材
１０        緑化植物
１１        ポンプ
１２        バッテリ
１３        コントローラ
１４        貯水槽
１５        フロートバルブ
２４        下部ヘッダ管
２５        上昇供給管
【図１】
2006296230.tif 000003
【図２】
2006296230.tif 000004
【図３】
2006296230.tif 000005
【図４】
2006296230.tif 000006
【図５】
2006296230.tif 000007
【図６】
2006296230.tif 000008